(57)【特許請求の範囲】
【請求項１】
天板の両側に脚板を有するとともに、両脚板の後端部間に幕板を有する机と、該机の天板後部に載置し、両側板の後部間に背板を有するとともに、少なくとも１枚の固定棚板を両側板間に有する机上棚とからなる棚付き学習机であって、前記机の両脚板の間隔と前記机上棚の両側板の間隔を一致させ、前記机上棚の両側板間に左右に配して着脱可能且つ左右組替え可能となして取付けた本立と小棚板とを、前記机の両脚板間に左右に配して付け替え可能且つ左右組替え可能となし若しくは本立のみを両脚板間に付け替え可能となし、更に前記机の両脚板間に可動棚板を着脱可能に取付けるとともに、該可動棚板を前記机上棚の両側板間に付け替え可能となしたことを特徴とする棚付き学習机。
【請求項２】
前記机上棚の背板又は前記机の幕板の前面左右中央部に背部受具を着脱可能に取付けるとともに、前記机上棚の一方の側板又は前記机の一方の脚板の内面に側部受具を着脱可能に取付け、前記背部受具に前記本立の背面板を係止するとともに、前記側部受具に前記本立の側部側の側面板下端を嵌合載支し、前記本立の中央部側の側面板と、該側面板と対面する前記机上棚の他方の側板又は前記机の他方の脚板とに着脱可能に取付けた支持具で前記小棚板を支持してなる請求項１記載の棚付き学習机。
【請求項３】
前記可動棚板を前記机上棚の固定棚板の下方側に配置した照明具と前記本立との間の空間で両側板間に付け替え可能となした請求項１又は２記載の棚付き学習机。
【請求項４】
前記机の両脚板間の上下部に可動棚板と下部固定棚板とを設け、該可動棚板の両側端を支持する棚受部材を机の脚板と机上棚の側板とに付け替えることで、可動棚板を机の両脚板間と机上棚の両側板間とに付け替え可能となすとともに、前記下部固定棚板の前方に前記棚受部材を付け替えて前記可動棚板を下部固定棚板の前縁に接合状態で付け替え可能となした請求項１記載の棚付き学習机。
【請求項５】
前記可動棚板の後端面で左右中間部に突設した単又は複数のダボを嵌入する係合穴を前記下部固定棚板の前端面、前記幕板の前面及び前記背板の前面の対応する位置に形成してなる請求項４記載の棚付き学習机。
【発明の詳細な説明】
【０００１】
【発明の属する技術分野】
本発明は、棚付き学習机に係わり、更に詳しくは机の天板後部に机上棚を載置した組替え可能な棚付き学習机に関するものである。
【０００２】
【従来の技術】
従来から、学習机の天板後部に載置固定する机上棚として、両側板と背板で形成された内部空間に棚板や本立を組み込んだものは各種提供され、またパーソナルコンピュータ（以下「パソコン」と称す）等の電子機器の設置スペースを確保するために棚板を着脱自在となしたものも提供されている。
【０００３】
例えば、本出願人の先願に係る特公平５−１０９２４号公報には、机上棚として、両側板と背板で形成された内部空間内に、小型書棚様本立を着脱自在に取付けるとともに、対向して離間した側板と前記本立の側板間に小棚板を着脱自在に架設してなる構造が開示され、また特公平５−５４８５号公報には、机上棚として、両側板と背板で形成された内部空間内に、学習机の天板との間に空間を残して本立を着脱自在に取付けた構造が開示されている。
【０００４】
ここで、前記机上棚にパソコン等の電子機器の設置スペースを確保すべく、小棚板を取外したり、あるいは本立と小棚板を取外した場合、本立は机天板上や他の平面部分に載置して独立して使用できるが、小棚板は利用することができなかった。尚、机上棚を机天板の後部に装着したままで、本立を机上棚から取外して机天板上に載置して使用することは、スペース的に無理がある。
【０００５】
【発明が解決しようとする課題】
本発明が前述の状況に鑑み、解決しようとするところは、天板後部に机上棚を載置した棚付き学習机において、机上棚に着脱可能に設けた本立と小棚板を取外した場合に、該本立と小棚板を他の部位に取付けて多様な使用形態を実現でき、併せて机の足入れ空間の有効利用を図ることができる棚付き学習机を提供する点にある。
【０００６】
【課題を解決するための手段】
本発明は、前述の課題解決のために、天板の両側に脚板を有するとともに、両脚板の後端部間に幕板を有する机と、該机の天板後部に載置し、両側板の後部間に背板を有するとともに、少なくとも１枚の固定棚板を両側板間に有する机上棚とからなる棚付き学習机であって、前記机の両脚板の間隔と前記机上棚の両側板の間隔を一致させ、前記机上棚の両側板間に左右に配して着脱可能且つ左右組替え可能となして取付けた本立と小棚板とを、前記机の両脚板間に左右に配して付け替え可能且つ左右組替え可能となし若しくは本立のみを両脚板間に付け替え可能となし、更に前記机の両脚板間に可動棚板を着脱可能に取付けるとともに、該可動棚板を前記机上棚の両側板間に付け替え可能となした棚付き学習机を構成した。
【０００７】
ここで、前記机上棚の背板又は前記机の幕板の前面左右中央部に背部受具を着脱可能に取付けるとともに、前記机上棚の一方の側板又は前記机の一方の脚板の内面に側部受具を着脱可能に取付け、前記背部受具に前記本立の背面板を係止するとともに、前記側部受具に前記本立の側部側の側面板下端を嵌合載支し、前記本立の中央部側の側面板と、該側面板と対面する前記机上棚の他方の側板又は前記机の他方の脚板とに着脱可能に取付けた支持具で前記小棚板を支持してなるのである。
【０００８】
また、前記可動棚板を前記机上棚の固定棚板の下方側に配置した照明具と前記本立との間の空間で両側板間に付け替え可能となした。
【０００９】
また、前記机の両脚板間の上下部に可動棚板と下部固定棚板とを設け、該可動棚板の両側端を支持する棚受部材を机の脚板と机上棚の側板とに付け替えることで、可動棚板を机の両脚板間と机上棚の両側板間とに付け替え可能となすとともに、前記下部固定棚板の前方に前記棚受部材を付け替えて前記可動棚板を下部固定棚板の前縁に接合状態で付け替え可能となした。
【００１０】
この場合、前記可動棚板の後端面で左右中間部に突設した単又は複数のダボを嵌入する係合穴を前記下部固定棚板の前端面、前記幕板の前面及び前記背板の前面の対応する位置に形成してなることが好ましい。
【００１１】
【発明の実施の形態】
次に本発明の実施形態を添付図面に基づき更に詳細に説明する。図１〜図４は机１の天板後部に机上棚２を載置した本発明に係る棚付き学習机Ａを示し、図１及び図２は第１態様、図３及び図４は第２態様を示している。本実施形態では前記机上棚２として上下分離型の構造のものを示したが、上下一体型の構造のものでも良い。ここで、図中符号３は天板、４は脚板、５は幕板、６は側板、７は背板、８は固定棚板、９は本立、１０は小棚板、１１は可動棚板、１２は下部固定棚板をそれぞれ示している。また、下部棚を２Ａ、上部棚を２Ｂとし、それぞれに対応する側板には６Ａ、６Ｂと、背板には７Ａ、７Ｂを付して説明しているが、特に区別する必要がない場合にはＡ，Ｂは付さない。
【００１２】
前記机１は、図１及び図２に示すように、天板３の両側に脚板４，４を有し、両脚板４，４の後端部間に幕板５を有する基本構造のものである。また、前記机上棚２は、図１及び図２に示すように、両側板６，６の後部間に背板７を有するとともに、少なくとも１枚の固定棚板８を両側板６，６間に有する基本構造のものである。尚、前記机上棚２は、図示したように、本実施形態では下部棚２Ａと上部棚２Ｂとを連結、分離が可能なものである。また、前記下部棚２Ａを机天板３に載置して固定する手段としては、従来と同様に止金具を用いて行うなど、適宜な固定手段を採用し得る。
【００１３】
そして、本発明では、前記机１の両脚板４，４の間隔と前記机上棚２の両側板６，６の間隔を一致させている。また、前記机１の両脚板４，４間の上下部に可動棚板１１と下部固定棚板１２とを設け、前記机上棚２の両側板６，６間に左右に配して本立９と小棚板１０とを着脱可能に取付けている。前記本立９と小棚板１０とは、前記机１の両脚板４，４間に左右に配して付け替え可能となし、また前記可動棚板１１は前記机上棚２の両側板６，６間に付け替え可能となしている（図３及び図４参照）。更に、前記可動棚板１１は、図１０及び図１１に示すように、前記下部固定棚板１２の前縁に接合状態で付け替え可能となして、机１の足入れ空間に奥行幅の広い棚を構成できるようにしている。
【００１４】
以下、各部を更に詳細に説明する。図５及び図６に示すように、前記下部棚２Ａは、両側板６Ａ，６Ａの後部間に背板７Ａを設けたものであり、両側板６Ａ，６Ａと背板７Ａとでオープンな収納空間を形成した構造である。また、前記上部棚２Ｂは、両側板６Ｂ，６Ｂの上下中間位置に固定棚板８を渡設し、両側板６Ｂ，６Ｂの後端部間の上下に、それぞれ背当板１３と背板７Ｂとを互いの間に隙間を設けて渡設し、更に固定棚板８の上面中央部には固定仕切板１４を立設し且つその後縁を前記背当板１３に固定し、該固定仕切板１４と側板６Ｂとの間の固定棚板８又は背当板１３には左右に位置調節可能に可動仕切板１５を設けたものである。更に、前記上部棚２Ｂの固定棚板８の下面側には照明具１６を設けている。尚、本発明では前記下部棚２Ａと上部棚２Ｂとが一体化したもの、つまり下部棚２Ａの側板６Ａと上部棚２Ｂの側板６Ｂとが一枚物であるものでも良いのである。
【００１５】
そして、下部棚２Ａに上部棚２Ｂを載置し、両側部において上下に位置する側板６Ａ，６Ｂと背板７Ａ，７Ｂを接合し、側板６Ａ，６Ｂ同士を適宜な連結具にて互いに引き付け連結している。前記下部棚２Ａの両側板６Ａ，６Ａと背板７Ａ及び上部棚２Ｂの両側板６Ｂ，６Ｂと背板７Ｂと固定棚板８とで内部空間１７が形成され、該内部空間１７内に前記本立９及び小棚板１０を左右組替え可能となして簡単に使用形態を変更することができるように配設している。
【００１６】
ここで、前記本立９は、図５及び図６に示すように、載置板１８の両側に配した両側面板１９，１９の後部間に、下縁を開放した背面板２０を渡設するとともに、前記載置板１８の左右中央部に固定仕切板２１を立設して背面板２０と連結するとともに、該固定仕切板２１と側面板１９との間の載置板１８又は背面板２０には左右に位置調節可能に可動仕切板２２を設け、更に前記載置板１８より下方に延設した両側面板１９，１９間に引出し２３，２３を設けている。ここで、前記可動仕切板１５と可動仕切板２２とは同一構造のもので、互いに付け替え可能となっている。更に、前記可動仕切板１５又は可動仕切板２２は、取外して背板７Ａにも小棚板１０にも左右に位置調節可能に取付けることができるようになっている。
【００１７】
そして、前記本立９は、下部棚２Ａの背板７Ａで両側板６Ａ，６Ａ間の中央部側に着脱可能に取付けた背部受具２４に、前記背面板２０の下縁端部に形成した下縁係合部２０Ａを係止するとともに、一方の側板６Ａの内面側に取付けた側部受具２５に、前記側面板１９の下端係合部１９Ａを嵌合状態で載支して、前記内部空間１７内に着脱可能に取付けている。ここで、前記背部受具２４と側部受具２５とは、それぞれ所定位置にダボと穴との嵌合とネジ止めを併用して着脱可能に取付けている。また、前記本立９を前記背部受具２４と側部受具２５とで支持した状態で、背板７Ａの背後から貫通させた固定ネジで背面板２０若しくは載置板１８を締着しても良い。
【００１８】
また、前記小棚板１０は、図１及び図５に示すように、前記本立９の中央部側の側面板１９と、該側面板１９と対面する下部棚２Ａの側板６Ａとの間に、一対の支持具２６，２６によって着脱可能に取付けている。本実施形態では、前記支持具２６としては、金属棒を平面視略コ字形に屈曲して形成した線ダボを用い、該支持具２６を前記側板６Ａと側面板１９とに着脱可能且つ高さ位置変更可能に水平突出状態で取付け、該支持具２６の突出部に前記小棚板１０の両側端面に形成した支持溝２７，２７にスライド係合させて支持している。尚、支持具２６として線ダボの代わりに、ピンダボを用いても良い。
【００１９】
そして、前記本立９と小棚板１０を左右入れ替えるには、先ず小棚板１０を抜き取り、両支持具２６，２６を外す、本立９を持上げて外した後、前記背部受具２４はそのままで、前記側部受具２５を反対側の側板６Ａに付け替え、本立９を背部受具２４と側部受具２５とで支持し、それから支持具２６，２６を互いに対面する側板６Ａと側面板１９の所定高さに取付け、最後に前記小棚板１０をスライド係合させる。
【００２０】
また、図７及び図８に示すように、前記本立９と小棚板１０とを机上棚２から取外した後、前記背部受具２４と側部受具２５及び支持具２６をそれぞれ取外し、前記可動棚板１１を取外した状態あるいは下部固定棚板１２の前方に可動棚板１１を取付けた状態で、前記机１の幕板５で両脚板４，４間の中央部側に背部受具２４を着脱可能に取付けるとともに、一方の脚板４の内面側に側部受具２５を取付け、前記同様に本立９を背部受具２４と側部受具２５とで支持し、それから他の脚板４と側面板１９とに着脱可能且つ高さ位置変更可能に水平突出状態で取付けた前記支持具２６，２６で前記小棚板１０を支持し、机上棚２から机１の脚板４，４間に付け替えることができるようになっている。尚、前記机１から前記可動棚板１１を取外した場合には、該可動棚板１１を机上棚２に付け替えることができるようになっており、本実施形態では前記照明具１６のやや下方で本立９の取付位置より上方に可動棚板１１を取付けることができるようにしている。従って、図１及び図２の状態でも、前記可動棚板１１を机上棚２に取付けることができる。
【００２１】
また、前記可動棚板１１は、図４、図９〜図１１に示すように、その両側端を支持する棚受部材２８，…を机１の脚板４，４と机上棚２の側板６Ｂ，６Ｂとに付け替えることで、机の両脚板４，４間と机上棚２の両側板６Ｂ，６Ｂ間とに付け替え可能となすとともに、前記下部固定棚板１２の前方に前記棚受部材２８，…を付け替えて下部固定棚板１２の前縁に接合状態で付け替え可能となしている。ここで、前記棚受部材２８としては、ピンダボ又はネジダボを用いるが、前記支持具２６のように線ダボであっても良い。前記可動棚板１１と下部固定棚板１２とは奥行幅が狭い略同幅で長尺の板部材であるので、中央部の撓みを防止するために、前記可動棚板１１の後端面で左右中間部に突設したダボ２９を嵌入する係合穴３０を前記下部固定棚板１２の前端面、前記幕板５の前面及び前記背板７Ｂの前面の対応する位置に形成している。尚、前記ダボ２９を前記可動棚板１１の後端面の左右中間部に複数突設し、それに応じて前記係合穴３０を対応箇所に複数形成しても良い。しかし、前記可動棚板１１が十分に曲げ強度が高く、また補強部材で補強されている場合には、前記ダボ２９と係合穴３０の嵌合による撓み防止は不要である。更に、前記可動棚板１１の左右中間部を下面から受ける突起を前記下部固定棚板１２の前端等の対応位置に設けても良い。
【００２２】
また、図１、図２、図５及び図６に示すように、前記固定棚板８、前記本立９の載置板１８、小棚板１０及び前記背板７Ａには、同一構造の前記可動仕切板１５、２２を着脱可能に取付けるための単又は複数の取付部３１を形成し、前記可動仕切板１５、２２を固定棚板８と本立９の載置板１８と小棚板１０と背板７Ａとの間で選択的に付替え可能としている。ここで、前記可動仕切板１５、２２は、側面視において少なくとも互いに直交した２辺を有し、一方の辺に対応する端面を固定面３２とし、他方の辺に対応する端面を当接面３３とし、前記固定面３２から頭部を突出させて配した締付ピン３４を板部に内蔵した回転操作具３５で引き付けるようにしたものである。また、前記取付部３１は、両端部に前記締付ピン３４の頭部が通過可能な挿入孔３１Ａ，３１Ａと、その間に前記頭部が通過できず且つ軸部が通過可能な係止溝３１Ｂを連通形成したものである。
【００２３】
そして、前記締付ピン３４の頭部を、可動仕切板１５、２２を装着しようとする板部材の取付部３１の挿入孔３１Ａに表面側あるいは前面側から挿入して貫通させた後、係止溝３１Ｂに沿って締付ピン３４の軸部をスライドさせ、可動仕切板１５、２２を所定位置におき、前記回転操作具３５を回転させて前記締付ピン３４を引き込み、前記固定面３２と頭部とで板部材を挟持するとともに、前記当接面３３を、前記板部材が、前記固定棚板８にあっては背当板１３に、前記本立９の載置板１８にあっては背面板２０に、前記小棚板１０にあっては背板７Ａに、前記背板７Ａにあっては机１の天板３に当接して回り止め状態で取付けるのである。しかし、本発明では、前記可動仕切板１５、２２は、左右の位置を調節することができず、固定的なものであっても何ら差し支えない。
【００２４】
また、前記本立９は、図１２及び図１３に示すように、左右の側面板１９，１９の後端上下に背面板２０と連結板３６を連結するとともに、両側面板１９，１９間の右寄り位置に区画板３７をその後端を前記背面板２０と連結板３６に固定して取付け、左側の側面板１９と該区画板３７との間で下方に空間を形成して載置板１８を取付けるとともに、該載置板１８の下方に引出し２３を設ける一方、右側の側面板１９と前記区画板３７の下端部間に下棚板３８を固定するとともに、その上方に高さ位置変更可能に上棚板３９を取付けて構成したものである。ここで、前記側面板１９の下端には下端係合部１９Ａを形成し、前記背面板２０の下縁端部には下縁係合部２０Ａ，２０Ａを形成している。
【００２５】
【発明の効果】
以上にしてなる本発明の棚付き学習机は、以下のような効果を奏するものである。
【００２６】
請求項１によれば、机上棚に着脱可能に設けた本立と小棚板を、机の両脚板間に付け替えることができるので、机天板上にパソコン等を置くスペースを広く確保することができ、しかも取外した本立と小棚板を机の足入れ空間に装着して使用できるので、多様な使用形態を実現でき、併せて机の足入れ空間の有効利用を図ることができるのである。また、本立と小棚板を使用者の右利き、左利きに応じて、あるいは好みの応じて左右何れの側にも付け替えることができる。更に、可動棚板を机の両脚板間と、机上棚の両側板間に付け替えることができ、可動棚板を有効に利用することができる。
【００２７】
請求項２によれば、本立と小棚板を使用者の右利き、左利きに応じて、あるいは好みの応じて左右何れの側にも付け替えることができる。
【００２８】
請求項３によれば、本立と小棚板を机の両脚板間に付け替えた際に、邪魔になる可動棚板を机上棚に取付けることができるばかりでなく、机上棚に本立を取付けた状態でも可動棚板を机上棚に取付けることができる。
【００２９】
請求項４によれば、可動棚板を机の両脚板間で下部固定棚板の上位と該下部固定棚板の前方に接合状態で付け替えることができるとともに、机上棚の両側板間に付け替えることができ、可動棚板を有効に利用することができる。
【００３０】
請求項５によれば、可動棚板の後端面で左右中間部に突設したダボを、下部固定棚板の前端面、幕板の前面及び背板の前面の対応する位置に形成した係合穴に嵌入することで、可動棚板の撓みを防止することができる。
【図面の簡単な説明】
【図１】本発明に係る棚付き学習机を示し、本立と小棚板を机上棚に装着し、可動棚板を机に装着した状態の全体斜視図である。
【図２】図１の縦断面図である。
【図３】本発明に係る棚付き学習机を示し、可動棚板を机上棚に装着し、本立と小棚板を机に装着した状態の全体斜視図である。
【図４】図３の縦断面図である。
【図５】机上棚と本立と小棚板との関係を示す分解斜視図である。
【図６】本立の机上棚への取付構造を示す分解斜視図である。
【図７】机と本立と小棚板との関係を示す一部省略した分解斜視図である。
【図８】机の両脚板間に本立と小棚板を装着した状態の一部省略した斜視図である。
【図９】机上棚と可動棚板との関係を示す分解斜視図である。
【図１０】机の両脚板間で下部固定棚板の前方に接合状態で可動棚板を装着する状態の一部省略した斜視図である。
【図１１】同じく縦断面図である。
【図１２】本立の他の実施形態を示す正面図である。
【図１３】同じく他の実施形態の本立の縦断面図である。
【符号の説明】
Ａ  学習机
１  机                  ２  机上棚
２Ａ  下部棚            ２Ｂ  上部棚
３  天板                ４  脚板
５  幕板                ６，６Ａ，６Ｂ  側板
７，７Ａ，７Ｂ  背板    ８  固定棚板
９  本立                １０  小棚板
１１  可動棚板          １２  下部固定棚板
１３  背当板            １４  固定仕切板
１５  可動仕切板        １６  照明具
１７  内部空間          １８  載置板
１９  側面板            １９Ａ  下端係合部
２０  背面板            ２０Ａ  下縁係合部
２１  固定仕切板        ２２  可動仕切板
２３  引出し            ２４  背部受具
２５  側部受具          ２６  支持具
２７  支持溝            ２８  棚受部材
２９  ダボ              ３０  係合穴
３１  取付部            ３２  固定面
３３  当接面            ３４  締付ピン
３５  回転操作具        ３６  連結板
３７  区画板            ３８  下棚板
３９  上棚板
【図１】
0003864844.tif 000002
【図２】
0003864844.tif 000003
【図３】
0003864844.tif 000004
【図４】
0003864844.tif 000005
【図５】
0003864844.tif 000006
【図６】
0003864844.tif 000007
【図７】
0003864844.tif 000008
【図８】
0003864844.tif 000009
【図９】
0003864844.tif 000010
【図１０】
0003864844.tif 000011
【図１１】
0003864844.tif 000012
【図１２】
0003864844.tif 000013
【図１３】
0003864844.tif 000014